(57)【要約】周波数フィルタを用いることなくアップリンク信号及びダウンリンク信号を分離することができる光ファイバ無線アクセスシステムを提供するため、本発明にかかる光ファイバ無線アクセスシステムは、光ファイバによって接続された中央局装置１００と基地局装置１１０とを有する。中央局装置１００は、強度変調によって、ダウンリンク無線信号をダウンリンク光信号へ変換する光電気変換部１０１と、基地局装置１１０へ送信したダウンリンク光信号が強度変調されたことによって生成された多重光信号を受信する受光部１０２と、アップリンク無線信号を抽出する抽出部１０３と、を備える。基地局装置１１０は、中央局装置１００から送信されたダウンリンク光信号をアップリンク無線信号を用いて強度変調することによって、多重光信号を生成する多重部１１１と、を備える。
2016136188.tif 000002
【特許請求の範囲】
【請求項１】
中央局装置と基地局装置とが第１および第２の光ファイバで接続された光ファイバ無線アクセスシステムであって、
前記中央局装置は、
光源から出力される光信号をダウンリンク無線信号を用いて強度変調することによって、前記ダウンリンク無線信号をダウンリンク光信号へ変換する第１の光電気変換手段と、  前記第１の光ファイバを経由して前記基地局装置へ送信した前記ダウンリンク光信号が強度変調されたことによって生成された多重光信号を前記第２の光ファイバを経由して受信する受光手段と、
前記多重光信号からアップリンク無線信号を抽出する抽出手段と、を備え、
前記基地局装置は、
前記第１の光ファイバを経由して前記中央局装置から送信された前記ダウンリンク光信号を前記アップリンク無線信号を用いて強度変調することによって、前記アップリンク無線信号と前記ダウンリンク無線信号とを多重した前記多重光信号を生成する多重手段と、を備える光ファイバ無線アクセスシステム。
【請求項２】
前記中央局装置は、
前記多重光信号を多重無線信号へ変換する第２の光電気変換手段をさらに備え、
前記抽出手段は、
コンパレータ回路を用いることによって前記多重無線信号から前記アップリンク無線信号を抽出する、請求項１に記載の光ファイバ無線アクセスシステム。
【請求項３】
前記中央局装置は、
前記多重光信号を多重無線信号へ変換する第２の光電気変換手段をさらに備え、
前記抽出手段は、
減算回路を用いて前記多重無線信号から前記ダウンリンク無線信号を減算することによって、前記アップリンク無線信号を抽出する、請求項１に記載の光ファイバ無線アクセスシステム。
【請求項４】
中央局装置と基地局装置とが第１および第２の光ファイバで接続された光ファイバ無線アクセスシステムであって、
前記中央局装置は、
光源から出力される光信号をダウンリンク無線信号を用いて強度変調することによって、前記ダウンリンク無線信号をダウンリンク光信号へ変換する第１の光電気変換手段と、  前記第１の光ファイバを経由して前記基地局装置へ送信した前記ダウンリンク光信号を強度変調することによって生成された多重光信号を前記第２の光ファイバを経由して受信する受光手段と、を備え、
前記基地局装置は、
前記第１の光ファイバを経由して前記中央局装置から送信された前記ダウンリンク光信号を分岐する手段と、
分岐した一方の前記ダウンリンク光信号を前記ダウンリンク無線信号へ変換する第２の光電気変換手段と、
アップリンク無線信号から、前記第２の光電気変換手段から出力された前記ダウンリンク無線信号を減算することによって多重無線信号を生成する減算手段と、
分岐した他方の前記ダウンリンク光信号を前記多重無線信号を用いて強度変調することによって、前記多重光信号を生成する多重手段と、を備える光ファイバ無線アクセスシステム。
【請求項５】
前記第１の光電気変換手段は、
所定のオフセット強度を含む前記ダウンリンク光信号へ変換されるように電圧レベル及び振幅が設定された前記ダウンリンク無線信号を用いる、請求項１乃至４のいずれか１項に記載の光ファイバ無線アクセスシステム。
【請求項６】
基地局装置と第１および第２の光ファイバで接続された中央局装置であって、
光源から出力される光信号をダウンリンク無線信号を用いて強度変調することによって、前記ダウンリンク無線信号をダウンリンク光信号へ変換する第１の光電気変換手段と、  前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号から前記アップリンク無線信号を抽出する抽出手段と、を備える中央局装置。
【請求項７】
中央局装置と第１および第２の光ファイバで接続された基地局装置であって、
前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信する、基地局装置。
【請求項８】
基地局装置と第１および第２の光ファイバで接続された中央局装置において用いられる信号抽出方法であって、
光源から出力される光信号をダウンリンク無線信号を用いて強度変調することによって、前記ダウンリンク無線信号をダウンリンク光信号へ変換し、
前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、
前記多重光信号から前記アップリンク無線信号を抽出する、抽出方法。
【請求項９】
中央局装置と第１および第２の光ファイバで接続された基地局装置において用いられる通信方法であって、
前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、
前記多重光信号を第２の光ファイバを経由して前記中央局装置へ送信する、通信方法。
【請求項１０】
基地局装置と第１および第２の光ファイバで接続されたコンピュータに実行させるプログラムであって、
光源から出力される光信号をダウンリンク無線信号を用いて強度変調することによって、前記ダウンリンク無線信号をダウンリンク光信号へ変換し、
前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、
前記多重光信号から前記アップリンク無線信号を抽出する、ことをコンピュータに実行させるプログラムを記録する非一時的なコンピュータ可読記録媒体。
【発明の詳細な説明】
【技術分野】
【０００１】
本発明は光ファイバ無線アクセスシステム、中央局装置、基地局装置、抽出方法及び通信方法に関し、特に強度変調を行う光ファイバ無線アクセスシステム、中央局装置、基地局装置、抽出方法及び通信方法に関する。
【背景技術】
【０００２】
モバイルネットワークのアクセス網において、従来のマクロセルと比較し小規模にセル形成し、小規模に形成されたセルを、既存のマクロセル内に高密度に展開することによって高効率にモバイルデータを収容するスモールセルネットワークが検討されている。スモールセルネットワークでは、基地局を構成するＢＢＵ（Ｂａｓｅ  Ｂａｎｄ  Ｕｎｉｔ）、ＲＦ（Ｒａｄｉｏ  Ｆｒｅｑｕｅｎｃｙ）回路及びアンテナを含むＲＲＵ（Ｒｅｍｏｔｅ  Ｒａｄｉｏ  Ｕｎｉｔ）が地理的、機能的に分離されることによって、アンテナからの送受信機能を担うＲＲＵが小型化され、ＲＲＵが空間的に高密度に展開される。
ＢＢＵ−ＲＲＵ間を分離するため、その間の通信には大容量かつ高速信号伝送に優れた光通信を用いることが検討されている。そのため、ＢＢＵ−ＲＲＵ間については光伝送路を介して無線信号を伝送するＲｏＦ（Ｒａｄｉｏ  ｏｖｅｒ  Ｆｉｂｅｒ）技術が用いられる。ＲｏＦ技術を利用することで、伝送距離や伝送レートが飛躍的に拡大でき、マクロセル内の複数のＲＲＵを１つのＢＢＵを用いて集約できる。そうした中で、設置の容易性の観点からＲＲＵはより低電力かつ小型に構成することが要求される。【０００３】
しかしながら、電気信号を用いて光を変調する場合に用いられる方式の一つである外部変調方式において、光変調器にＣＷ（ｃｏｎｔｉｎｕｏｕｓ  ｗａｖｅ）光を供給するレーザーやその温度制御は多大な電力消費を要する。そこで、ＲＲＵの簡素化、省電力化するために、光源およびそれを制御するための機構をＲＲＵから排除することが検討されている。具体的には、ＲＲＵにおいてアップリンク信号を電気―光変換するため、ＲＲＵを構成する光変調器において必要な無変調の光信号を、ＢＢＵを構成する光源より供給する手段が知られている。【０００４】
特許文献１には、センタ局とアンテナ局とを有する光ファイバ無線アクセスシステムの構成が開示されている。具体的には、アンテナ局は、半導体レーザー（光源）を設けていない。アンテナ局は、ダウンリンク用無線信号が重畳され、センタ局から送信された光波を、アップリンク用無線信号を用いて光変調する。さらに、センタ局は、アップリンク用無線信号を用いて光変調された光波から、帯域透過フィルタを用いてアップリンク用の光信号のみを抽出する。このように構成することによって、アンテナ局は、自装置内に光源を設けずに、アップリンク用無線信号を光に重畳することができる。
特許文献２には、センタ局装置（電話局）と子局装置（ユーザ装置）とを有する光ファイバネットワークシステムの構成が開示されている。
【先行技術文献】
【特許文献】
【０００５】
【特許文献１】特開２００２−１４１８７１号公報
【特許文献２】特開平１１−１５４９１５号公報
【発明の概要】
【発明が解決しようとする課題】
【０００６】
しかし、特許文献１における光ファイバ無線アクセスシステムにおいては、アンテナ局が、異なる周波数を有するアップリンク信号及びダウンリンク信号を周波数多重している。そのため、センタ局に、信号を分離するための周波数フィルタを配置する必要があり、システムが複雑化するという問題がある。さらに、周波数多重を行うことによって、信号同士が干渉しあい、その結果、信号にエラーが生じる可能性もある。特許文献２の技術もこの課題を解決するものではない。【０００７】
本発明は、周波数フィルタを用いることなくアップリンク信号及びダウンリンク信号を分離することができる光ファイバ無線アクセスシステム、中央局装置、基地局装置、抽出方法及び通信方法を提供することを主な目的とする。
【課題を解決するための手段】
【０００８】
本発明の第１の態様にかかる光ファイバ無線アクセスシステムは、中央局装置と基地局装置とが第１および第２の光ファイバで接続された光ファイバ無線アクセスシステムであって、前記中央局装置は、光源から出力される光信号をダウンリンク無線信号を用いて強度変調することによって、前記ダウンリンク無線信号をダウンリンク光信号へ変換する第１の光電気変換部と、前記第１の光ファイバを経由して前記基地局装置へ送信した前記ダウンリンク光信号が強度変調されたことによって生成された多重光信号を前記第２の光ファイバを経由して受信する受光部と、前記多重光信号から前記アップリンク無線信号を抽出する抽出部と、を備え、前記基地局装置は、前記第１の光ファイバを経由して前記中央局装置から送信された前記ダウンリンク光信号を前記アップリンク無線信号を用いて強度変調することによって、前記アップリンク無線信号と前記ダウンリンク無線信号とを多重した前記多重光信号を生成する多重部と、を備えるものである。【０００９】
本発明の第２の態様にかかる中央局装置は、基地局装置と第１および第２の光ファイバで接続された中央局装置であって、光源から出力される光信号をダウンリンク無線信号を用いて強度変調することによって、前記ダウンリンク無線信号をダウンリンク光信号へ変換する第１の光電気変換部と、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号から前記アップリンク無線信号を抽出する抽出部と、を備えるものである。【００１０】
本発明の第３の態様にかかる基地局装置は、中央局装置と第１および第２の光ファイバで接続された基地局装置であって、前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信するものである。【００１１】
本発明の第４の態様にかかる抽出方法は、基地局装置と第１および第２の光ファイバで接続された中央局装置において用いられる信号抽出方法であって、光源から出力される光信号をダウンリンク無線信号を用いて強度変調することによって、前記ダウンリンク無線信号をダウンリンク光信号へ変換し、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、前記多重光信号から前記アップリンク無線信号を抽出するものである。【００１２】
本発明の第５の態様にかかる通信方法は、中央局装置と第１および第２の光ファイバで接続された基地局装置において用いられる通信方法であって、前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信するものである。【００１３】
本発明の第６の態様にかかる記録媒体は、基地局装置と第１および第２の光ファイバで接続されたコンピュータに実行させるプログラムであって、光源から出力される光信号をダウンリンク無線信号を用いて強度変調することによって、前記ダウンリンク無線信号をダウンリンク光信号へ変換し、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、前記多重光信号から前記アップリンク無線信号を抽出する、ことをコンピュータに実行させるプログラムを記録する非一時的なコンピュータ可読記録媒体である。
【発明の効果】
【００１４】
上記態様により、周波数フィルタを用いることなくアップリンク信号及びダウンリンク信号を分離することができる光ファイバ無線アクセスシステム、中央局装置、基地局装置、抽出方法及び通信方法を提供することができる。
【図面の簡単な説明】
【００１５】
【図１】実施の形態１にかかる光ファイバ無線アクセスシステムの構成図である。
【図２】実施の形態２にかかる光ファイバ無線アクセスシステムの構成図である。
【図３】実施の形態２にかかるＢＢＵにおける信号処理の流れを示す図である。
【図４】実施の形態２にかかるＲＲＵにおける信号処理の流れを示す図である。
【図５】実施の形態３にかかる光ファイバ無線アクセスシステムの構成図である。
【図６】実施の形態３にかかるダウンリンク電気信号のタイムチャートである。
【図７】実施の形態３にかかるダウンリンク光信号のタイムチャートである。
【図８】実施の形態３にかかるアップリンク電気信号のタイムチャートである。
【図９】実施の形態３にかかるダウンリンク・アップリンク多重光信号のタイムチャートである。
【図１０】実施の形態３にかかるダウンリンク・アップリンク多重電気信号のタイムチャートである。
【図１１】実施の形態３にかかるアップリンク電気信号のタイムチャートである。
【図１２】実施の形態４にかかる光ファイバ無線アクセスシステムの構成図である。
【図１３】実施の形態４にかかる電気信号のタイムチャートである。
【図１４】実施の形態４にかかるアップリンク電気信号のタイムチャートである。
【図１５】実施の形態４にかかるダウンリンク・アップリンク多重電気信号のタイムチャートである。
【図１６】実施の形態４にかかるダウンリンク・アップリンク多重光信号のタイムチャートである。
【図１７】実施の形態４にかかるアップリンク電気信号のタイムチャートである。
【図１８】実施の形態５にかかる光ファイバ無線アクセスシステムの構成図である。
【図１９】実施の形態６にかかる光ファイバ無線アクセスシステムの構成図である。
【発明を実施するための形態】
【００１６】
（実施の形態１）
以下、図面を参照して本発明の実施の形態について説明する。図１を用いて本発明の実施の形態１にかかる光ファイバ無線アクセスシステムの構成例について説明する。図１の光ファイバ無線アクセスシステムは、中央局装置１００及び基地局装置１１０を有している。中央局装置１００は、光ファイバ１２０及び光ファイバ１３０によって基地局装置１１０と接続している。
【００１７】
続いて、中央局装置１００の構成例について説明する。中央局装置１００は、光電気変換部１０１、受光部１０２及び抽出部１０３を有している。
【００１８】
光電気変換部１０１は、光源から出力される光信号をダウンリンク無線信号を用いて強度変調することによって、ダウンリンク無線信号をダウンリンク光信号へ変換する。光源は、例えば、レーザーであってもよい。また、光信号は、レーザーから出力されるＣＷ（Continuous Wave）光であってもよい。また、ダウンリンク無線信号は、電気信号であってもよい。ダウンリンク無線信号は、基地局装置１１０を介して、携帯電話もしくはスマートフォン等の通信端末装置へ送信される信号である。光電気変換部１０１は、ダウンリンク無線信号を光ファイバ１２０を経由して基地局装置１１０へ送信する。
【００１９】
受光部１０２は、ダウンリンク光信号が強度変調されたことによって生成された多重光信号を光ファイバ１３０を介して受信する。多重光信号は、基地局装置１１０において生成される。
【００２０】
抽出部１０３は、受光部１０２において受信した多重光信号から、アップリンク無線信号を抽出する。アップリンク無線信号は、通信端末装置から基地局装置１１０を介して中央局装置１００へ送信される信号である。
【００２１】
続いて、基地局装置１１０の構成例について説明する。基地局装置１１０は、多重部１１１を有している。多重部１１１は、光ファイバ１２０を経由して中央局装置１００から送信されたダウンリンク光信号を、アップリンク無線信号を用いて強度変調する。これによって、多重部１１１は、アップリンク無線信号とダウンリンク無線信号とを多重した多重光信号を生成する。また、多重部１１１は、多重光信号を光ファイバ１３０を経由して中央局装置１００へ送信する。
【００２２】
以上説明したように、図１の光ファイバ無線アクセスシステムにおける基地局装置１１０は、アップリンク無線信号とダウンリンク無線信号とを、ダウンリンク光信号を強度変調することによって多重することができる。そのため、中央局装置１００は、多重光信号からアップリンク無線信号を抽出する際に、周波数フィルタを用いる必要がなくなるため、システムを簡易に構成することができる。さらに、光信号の強度多重を行うことによって、周波数多重を行った際に発生する信号同士が干渉する事象を防止することができる。
【００２３】
（実施の形態２）
続いて、図２を参照して、実施の形態２に係る光ファイバ無線アクセスシステムについて説明する。図２は、実施の形態２に係る光ファイバ無線アクセスシステムの構成図である。図２に示す光ファイバ無線アクセスシステムは、ＢＢＵ（もしくはベースバンド処理装置）１およびＲＲＵ（遠隔無線装置）２を有している。ＢＢＵ１及びＲＲＵ２の間は、光ファイバによる光伝送路７及び８により接続される。
【００２４】
ＢＢＵ１は、送受信部（ＴＲＸ）３、光源（レーザーダイオード：ＬＤ）４、光変調器（ＭＯＤ）５、受光器（ＰＤ）１０を備えている。ＲＲＵ２は、光カプラ１３、受光器（ＰＤ）９、バンドパスフィルタ２１、デュプレクサ１１、アンプ２６、光変調器６を備えている。アンテナ１２は、ＲＲＵ２から出力されるダウンリンク電気信号を、送信信号１２ａとして送信する。アンテナ１２は、受信した受信信号１２ｂを、ＲＲＵ２へアップリンク電気信号として出力する。
【００２５】
続いて、図２に示す光ファイバ無線アクセスシステムのダウンリンク信号系について説明する。ダウンリンク電気信号３ａは、ＢＢＵ１の送受信部３によりパルス幅変調もしくはパルス位置変調される。また、ダウンリンク電気信号３ａは、送受信部３から出力されるＲＦ帯の１ビットデジタル信号形式の信号である。ダウンリンク電気信号３ａは、光変調器５へ駆動信号として入力される。
【００２６】
光源４は、生成したＣＷ光を光変調器５へ入射する。光変調器５は、ＣＷ光をダウンリンク電気信号３ａを用いて強度変調し、ダウンリンク電気信号３ａをダウンリンク光信号７aへ変換する。
【００２７】
ダウンリンク電気信号３ａは、光変調器５において光信号に変換された場合に、光信号がオフしない、もしくは入射されるＣＷ光の最大強度に対して最小強度にならない程度の光強度変調を行うための電圧レベル及び振幅に設定される。言い換えると、ダウンリンク電気信号３ａは、変換後の光信号が光強度のオフセットを含むように光強度変調が行われるための電圧レベル及び振幅に設定される。
【００２８】
光変調器５は、ダウンリンク電気信号３ａをダウンリンク光信号７ａに変換し、ダウンリンク光信号７ａを、光伝送路７を介してＲＲＵ２へ伝送する。
【００２９】
光カプラ１３は、ＢＢＵ１から伝送された、光強度のオフセットを含むダウンリンク光信号７ａを、ダウンリンク光信号１３ａおよび１３ｂの２系統に分岐する。光カプラ１３は、分岐した一方のダウンリンク光信号１３ａを受光器９へ出力する。受光器９は、光電気変換することによって、ダウンリンク光信号１３ａを電気信号９ａへ変換する。受光器９は、電気信号９ａを、基本波周波数成分のみを通過させるバンドパスフィルタ２１へ出力する。バンドパスフィルタ２１は、電気信号９ａの基本波周波数成分のみを有するダウンリンク電気信号１１ａをデュプレクサ１１の端子Ａへ出力する。
【００３０】
デュプレクサ１１は、ダウンリンク電気信号１１ａを端子Ｂからアンテナ１２へ供給する。つまり、アンテナ１２は、ダウンリンク電気信号１１ａにより駆動され、送信信号１２ａを送出する。
【００３１】
次に図２に示す光ファイバ無線アクセスシステムのアップリンク信号系動作について説明する。アンテナ１２は、受信した受信信号１２ｂを、デュプレクサ１１の端子Ｂへ供給する。デュプレクサ１１は、アンテナ１２からの出力、つまりアップリンク電気信号１１ｂを端子Ｃからアンプ２６へ供給する。アンプ２６は、アップリンク電気信号１１ｂを、適当な電圧オフセットレベルおよび振幅を有する電気信号へ変換する。
【００３２】
アンプ２６は、アップリンク電気信号１１ｂを、適当な電圧オフセットレベルおよび振幅を有する電気信号へ変換し、変換後のアップリンク電気信号２６ａを光変調器６へ出力する。アップリンク電気信号２６ａは、光変調器６の変調信号として光変調器６に入力される。
【００３３】
光カプラ１３は、分岐したもう一方のダウンリンク光信号１３ｂを光変調器６へ供給する。光変調器６は、光強度に対してオフセットを有するダウンリンク光信号７ａを、駆動信号であるアップリンク電気信号２６ａを用いて強度変調し、アップリンク電気信号２６ａをダウンリンク・アップリンク多重光信号８ａへ変換する。ダウンリンク・アップリンク多重光信号８ａは、光信号領域の信号強度において、ダウンリンク電気信号３ａとアップリンク電気信号２６ａとが重畳された信号である。
【００３４】
つまり、光変調器６は、アップリンク電気信号２６ａをダウンリンク電気信号３ａに重畳すべく、ダウンリンク光信号１３ｂをアップリンク電気信号２６ａを用いて、さらに変調する。
【００３５】
光変調器６は、ダウンリンク・アップリンク多重光信号８ａを、光伝送路８を介してＢＢＵ１へ伝送する。受光器１０は、ＲＲＵ２から伝送されたダウンリンク・アップリンク多重光信号８ａを、ダウンリンク・アップリンク多重電気信号１０ａへ変換する。受光器１０は、ダウンリンク・アップリンク多重電気信号１０ａを送受信部３へ出力する。
【００３６】
送受信部３は、デジタル信号処理によってダウンリンク・アップリンク多重電気信号１０ａからダウンリンク電気信号３ａを差し引くことによってアップリンク信号を抽出する。
【００３７】
続いて、図３を用いて、ＢＢＵ１における信号処理の流れについて説明する。はじめに、光変調器５は、ダウンリンク電気信号３ａを駆動信号として、光源４において生成されたＣＷ光を強度変調する（Ｓ１１）。
【００３８】
次に、光変調器５は、ダウンリンク電気信号３ａによって強度変調されたＣＷ光をダウンリンク光信号７ａとして、光伝送路７を経由してＲＲＵ２へ送信する（Ｓ１２）。言い換えると、光変調器５は、ダウンリンク電気信号３ａをダウンリンク光信号７ａへ変換し、ダウンリンク光信号７ａをＲＲＵ２へ送信する。
【００３９】
次に、受光器１０は、ＲＲＵ２から送信されたダウンリンク・アップリンク多重光信号８ａを受信する（Ｓ１３）。次に、受光器１０は、光電変換によりダウンリンク・アップリンク多重光信号８ａを、ダウンリンク・アップリンク多重電気信号１０ａへ変換する（Ｓ１４）。次に、送受信部３は、ダウンリンク・アップリンク多重電気信号１０ａから、ダウンリンク電気信号４ａを差し引くことによってアップリンク電気信号を抽出する（Ｓ１５）。
【００４０】
続いて、図４を用いて、ＲＲＵ２における信号処理の流れについて説明する。はじめに、光カプラ１３は、光伝送路７を経由してダウンリンク光信号７ａを受信する（Ｓ２１）。次に、光カプラ１３は、ダウンリンク光信号７ａを分岐し、一方のダウンリンク光信号１３ｂを光変調器６へ出力する（Ｓ２２）。
【００４１】
次に、光変調器６は、アンテナ１２において受信し、アンプ２６において、適当な電圧オフセットレベルおよび振幅を有する電気信号へ変換されたアップリンク電気信号２６ａを駆動信号として、ダウンリンク光信号１３ｂを強度変調する（Ｓ２３）。次に、光変調器６は、アップリンク電気信号２６ａによって強度変調されたダウンリンク光信号１３ｂをダウンリンク・アップリンク多重光信号８ａとして、光伝送路８を経由してＢＢＵ１へ送信する（Ｓ２４）。
【００４２】
以上説明したように、本発明の実施の形態２にかかる光ファイバ無線アクセスシステムを用いることによって、ＲＲＵ２に光源を配置することなく、アップリンク及びダウンリンクの双方の光ファイバ無線通信を実現することができる。さらに、ＢＢＵ１の光変調器５及びＲＲＵ２の光変調器６は、電気信号を用いて光信号を強度変調する。そのため、ＢＢＵ１は、強度変調された光信号を復調する際に、周波数フィルタを用いる必要がないため、構成が簡略化される。
【００４３】
（実施の形態３）
続いて、図５を用いて実施の形態３に係る光ファイバ無線アクセスシステムについて説明する。図５におけるＢＢＵ１は、図２のＢＢＵ１に、コンパレータ２２が追加されている。図５におけるＢＢＵ１のその他の構成は、図２のＢＢＵ１と同様であるため詳細な説明を省略する。また、図５におけるＲＲＵ２は、図２のＲＲＵ２におけるアンプ２６が、データ変換回路２５に置き換えられている。図５におけるＲＲＵ２のその他の構成は、図２のＲＲＵ２と同様であるため詳細な説明を省略する。
【００４４】
コンパレータ２２は、ダウンリンク・アップリンク多重電気信号１０ａからアップリンク電気信号の１ビットデジタル信号を抽出するための閾値に従い動作する。コンパレータ２２は、抽出した信号をアップリンク電気信号２２ａとして送受信部３へ出力する。
【００４５】
データ変換回路２５は、パルス幅変調もしくはパルス位置変調等のパルス変調を行うことによって、受信信号を、ＲＦ帯の１ビットデジタル形式のアップリンク電気信号２５ａへ変換する。
【００４６】
続いて、図６〜図１１を用いて、実施の形態３における各主要箇所の電気信号もしくは光信号のタイムチャート図を含め、当該光ファイバ無線アクセスシステムの動作を説明する。
【００４７】
はじめに、ダウンリンク信号系について説明する。図６に示すダウンリンク電気信号３ａは、ＢＢＵ１の送受信部３によりパルス幅変調もしくはパルス位置変調されたＲＦ帯の１ビットデジタル信号形式の信号である。図６は、縦軸が電圧レベルを示し、横軸が時間を示している。ダウンリンク電気信号３ａは、電圧レベル２と電圧レベル３との間において遷移する。つまり、ダウンリンク電気信号３ａは、電圧レベル０から電圧レベル２までのオフセットを有する。
【００４８】
図７に示すダウンリンク光信号７ａは、光源４により生成されたＣＷ光が、光変調器５において、ダウンリンク電気信号３ａによって強度変調された信号である。図７は、縦軸が光強度を示し、横軸が時間を示している。ダウンリンク光信号７ａは、光強度２と光強度３との間において遷移する。ダウンリンク光信号７ａは、光強度０から光強度２までのオフセットを有する。ダウンリンク光信号７ａは、無変調のＣＷ光がダウンリンク電気信号３ａを用いて強度変調されているため、ダウンリンク電気信号と同様の波形を示している。
【００４９】
次にアップリンク信号について説明する。図８に示すアップリンク電気信号２５ａは、アンテナが受信した受信信号がデータ変換回路２５において変換された信号である。図８は、縦軸が電圧レベルを示し、横軸が時間を示している。アップリンク電気信号２５ａは、電圧レベル０と電圧レベル３との間において遷移する。つまり、アップリンク電気信号２５ａは、ダウンリンク電気信号３ａのようなオフセットを有さない。
【００５０】
図９に示すダウンリンク・アップリンク多重光信号は、ダウンリンク光信号１３ｂが、光変調器６において、アップリンク電気信号２５ａによって強度変調された信号である。
図９は、縦軸が光強度を示し、横軸が時間を示している。ダウンリンク・アップリンク多重光信号８ａは、光強度０と光強度３との間において遷移する。ダウンリンク・アップリンク多重光信号８ａは、図９に示されているように、アップリンク電気信号２５ａにダウンリンク電気信号３ａが多重されている。言い換えると、アップリンク電気信号２５ａは、光強度に対しオフセットを有するダウンリンク光信号７ａのオフセット分を利用し、ダウンリンク光信号７ａの変調を行う。つまり、光変調器６は、ダウンリンク光信号７ａにアップリンク電気信号２５ａを重畳すべく、ダウンリンク光信号７ａが十分にオフするだけの駆動電圧によって強度変調を行う。
【００５１】
図１０に示すダウンリンク・アップリンク多重電気信号１０ａは、受光器１０において、ダウンリンク光信号７ａから変換された電気信号である。図１０は、縦軸が電圧レベルを示し、横軸が時間を示している。ダウンリンク・アップリンク多重電気信号１０ａは、ダウンリンク・アップリンク多重光信号８ａと同様の波形を示している。
【００５２】
図１１のアップリンク電気信号２２ａは、コンパレータ２２の出力結果である。コンパレータ２２は、例えば、電圧レベル１を閾値として、ダウンリンク・アップリンク多重電気信号１０ａの電圧レベルが１より大きい期間をＨレベルとして出力し、ダウンリンク・アップリンク多重電気信号１０ａの電圧レベルが１以下の期間をＬレベルとして出力する。
【００５３】
図１１のアップリンク電気信号２２ａは、図８のアップリンク電気信号２５ａと同様の波形を示している。つまり、コンパレータ２２は、ダウンリンク・アップリンク多重電気信号１０ａから、アップリンク電気信号２５ａを抽出する。
【００５４】
以上説明したように、本発明の実施の形態３にかかる光ファイバ無線アクセスシステムは、図２の光ファイバ無線アクセスシステムを用いた場合と同様に、ＲＲＵ２に光源を配置することなく、アップリンク及びダウンリンクの双方の光ファイバ無線通信を実現することができる。さらに、ＢＢＵ１の光変調器５及びＲＲＵ２の光変調器６は、電気信号を用いて光信号を強度変調する。そのため、ＢＢＵ１は、強度変調された光信号を復調する際に、周波数フィルタを用いる必要がないため、構成が簡略化される。
【００５５】
（実施の形態４）
続いて、図１２を用いて実施の形態４に係る光ファイバ無線アクセスシステムについて説明する。図１２におけるＲＲＵ２は、図５のＲＲＵ２に、減算器２４が追加されている。図１２におけるＲＲＵ２のその他の構成は、図２のＲＲＵ２と同様であるため詳細な説明を省略する。また、図１２におけるＢＢＵ１は、図１のＢＢＵ１と同様である。
【００５６】
減算器２４は、受光器９から出力された電気信号９ａであって、２系統に分岐されたうちの一方の電気信号９ａを受け取る。減算器２４は、データ変換回路２５から出力されたアップリンク電気信号２５ａから電気信号９ａを電圧ドメインにおいて減算する。電圧ドメインにおいて減算するとは、アップリンク電気信号２５ａが示す電圧レベルから、電気信号９ａが示す電圧レベルを減算することである。
【００５７】
減算器２４は、アップリンク電気信号２５ａから電気信号９ａを減算した結果であるダウンリンク・アップリンク多重電気信号２４ａを光変調器６へ出力する。
【００５８】
続いて、図１３〜図１７を用いて、実施の形態４における各主要箇所の電気信号もしくは光信号のタイムチャート図を含め、当該光ファイバ無線アクセスシステムの動作を説明する。
【００５９】
図１３の電気信号９ａは、受光器９から出力された電気信号９ａであって、２系統に分岐されたうちの一方の電気信号を示している。電気信号９ａは、ダウンリンク光信号７ａから変換された電気信号であり、電圧レベル０と電圧レベル１との間を遷移する。電気信号９ａは、ダウンリンク光信号７ａとオフセットの位置が異なるが、同様の波形を有している。
【００６０】
図１４に示すアップリンク電気信号２５ａは、アンテナが受信した受信信号がデータ変換回路２５において変換された信号である。図１４は、縦軸が電圧レベルを示し、横軸が時間を示している。アップリンク電気信号２５ａは、電圧レベル１と電圧レベル３との間において遷移する。つまり、アップリンク電気信号２５ａは、電圧レベル０から電圧レベル１までのオフセットを有する。
【００６１】
図１５に示すダウンリンク・アップリンク多重電気信号２４ａは、図１４に示すアップリンク電気信号２５ａから、図１３に示す電気信号９ａを、電圧ドメインにおいて減算した後の波形を示している。
【００６２】
図１６に示すダウンリンク・アップリンク多重光信号８ｂは、光変調器６によって、ダウンリンク・アップリンク多重電気信号２４ａを用いて、強度変調が行われた信号である。ダウンリンク・アップリンク多重電気信号２４ａは、アップリンク電気信号２５ａから、ダウンリンク電気信号を示す電気信号９ａが減算された信号である。さらに、ダウンリンク・アップリンク多重光信号８ｂは、光信号領域の信号強度において、ダウンリンク・アップリンク多重電気信号２４ａとダウンリンク電気信号３ａとが重畳された信号である。そのため、ダウンリンク・アップリンク多重光信号８ｂは、ダウンリンク光信号７ａ分の光強度が相殺され、アップリンク電気信号２５ａと同様の波形を示す。
【００６３】
図１７のアップリンク電気信号１０ｂは、受光器１０において、ダウンリンク・アップリンク多重光信号８ｂから変換された電気信号である。アップリンク電気信号１０ｂは、アップリンク電気信号２５ａと同様の波形を示す。
【００６４】
以上説明したように、本発明の実施の形態４にかかる光ファイバ無線アクセスシステムは、実施の形態２及び３の光ファイバ無線アクセスシステムを用いた場合と同様に、ＲＲＵ２に光源を配置することなく、アップリンク及びダウンリンクの双方の光ファイバ無線通信を実現することができる。また、ＲＲＵ２は、減算器２４を用いることによって、光変調器６においてアップリンク電気信号２５ａのみを含むダウンリンク・アップリンク多重光信号を生成することができる。そのため、ＢＢＵ１の受光器１０は、ダウンリンク電気信号を含まないアップリンク電気信号１０ｂを生成することができる。これにより、ＢＢＵ１における処理を低減させることができる。
【００６５】
（実施の形態５）
続いて、図１８を参照して、実施の形態５に係る光ファイバ無線アクセスシステムについて説明する。図１８におけるＲＲＵ２は、図１２におけるＲＲＵ２のデータ変換回路２５をアンプ２６に置き換えている。図１８におけるＲＲＵ２のその他の構成、及びＢＢＵ１の構成は、図１２のＢＢＵ１及びＲＲＵ２と同様であるため詳細な説明を省略する。
【００６６】
減算器２４は、アンプ２６において増幅されたアップリンク電気信号１１ｂから、電気信号９ａを減算する。減算器２４は、減算結果である、ダウンリンク・アップリンク多重電気信号２４ａを、光変調器６へ出力する。ここで、ダウンリンク・アップリンク多重電気信号２４ａは、図１５のダウンリンク・アップリンク多重電気信号２４ａと同様の波形を示す。そのため、ＢＢＵ１の受光器１０は、図１７のアップリンク電気信号１０ｂと同様のアップリンク電気信号１０ｂを抽出することができる。
【００６７】
以上説明したように、本発明の実施の形態５にかかる光ファイバ無線アクセスシステムは、実施の形態２〜４の光ファイバ無線アクセスシステムを用いた場合と同様に、ＲＲＵ２に光源を配置することなく、アップリンク及びダウンリンクの双方の光ファイバ無線通信を実現することができる。また、ＢＢＵ１は、ダウンリンク・アップリンク多重光信号から、ダウンリンク電気信号を取り除く処理を行う必要がない。そのため、ＢＢＵ１における処理負担を軽減させることができる。
【００６８】
（実施の形態６）
続いて、図１９を参照して、実施の形態６に係る光ファイバ無線アクセスシステムについて説明する。図１９におけるＲＲＵ２は、図５におけるＲＲＵ２と同様である。図１９におけるＢＢＵ１は、図２におけるＢＢＵ１に、遅延回路２７及び減算器２８を追加している。図１９におけるＢＢＵ１のその他の構成は、図２におけるＢＢＵ１の構成と同様であるため詳細な説明を省略する。
【００６９】
ここで、遅延回路２７及び減算器２８を用いた場合のアップリンク信号系の動作について説明する。受光器１０は、図５における動作と同様に、ダウンリンク・アップリンク多重光信号８ａを受信する。さらに、受光器１０は、ダウンリンク・アップリンク多重光信号８ａを、ダウンリンク・アップリンク多重電気信号１０ａへ変換する。受光器１０は、ダウンリンク・アップリンク多重電気信号１０ａを減算器２８へ出力する。
【００７０】
減算器２８は、ダウンリンク・アップリンク多重電気信号１０ａからダウンリンク電気信号２７ａを電圧ドメインにおいて減算する。ダウンリンク電気信号２７ａは、２系統に分岐されたダウンリンク電気信号３ａの一方のダウンリンク電気信号３ａに、遅延回路２７において遅延が加えられた電気信号である。
【００７１】
遅延回路２７は、ダウンリンク・アップリンク多重電気信号１０ａから、ダウンリンク電気信号３ａを減算できるようなタイミングとなるようにダウンリンク電気信号３ａを出力するタイミングを調整する。つまり、遅延回路２７は、光変調器５、光カプラ１３、光変調器６及び受光器１０における処理遅延、さらに、光伝送路７及び光伝送路８における伝送遅延を考慮して、ダウンリンク電気信号２７ａを出力するタイミングを調整してもよい。減算器２８は、ダウンリンク・アップリンク多重電気信号１０ａからダウンリンク電気信号２７ａを電圧ドメインにおいて減算することによって、ダウンリンク電気信号３ａが除かれたアップリンク電気信号２８ａを送受信部３へ出力することができる。
【００７２】
以上説明したように、本発明の実施の形態６にかかる光ファイバ無線アクセスシステムは、実施の形態２〜５の光ファイバ無線アクセスシステムを用いた場合と同様に、ＲＲＵ２に光源を配置することなく、アップリンク及びダウンリンクの双方の光ファイバ無線通信を実現することができる。さらに、ＢＢＵ１は、減算器２８を用いることによって、処理負荷が高い周波数フィルタを用いる必要がなくなる。
【００７３】
上述の実施の形態では、本発明をハードウェアの構成として説明したが、本発明は、これに限定されるものではない。本発明は、ＢＢＵ１及びＲＲＵ２における処理を、ＣＰＵ（Central Processing Unit）にコンピュータプログラムを実行させることにより実現することも可能である。
【００７４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ(Recordable)、ＣＤ−Ｒ／Ｗ(ReWritable)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７６】
上記の実施形態の一部又は全部は、以下の付記のようにも記載されうるが、以下には限られない。
【００７７】
（付記１）中央局装置と基地局装置とが第１および第２の光ファイバで接続された光ファイバ無線アクセスシステムにおいて、前記中央局装置は、光源から出力される光信号をダウンリンク無線信号を用いて強度変調することによって、前記ダウンリンク無線信号をダウンリンク光信号へ変換する第１の光電気変換手段と、前記第１の光ファイバを経由して前記基地局装置へ送信した前記ダウンリンク光信号が強度変調されたことによって生成された多重光信号を前記第２の光ファイバを経由して受信する受光手段と、前記多重光信号から前記アップリンク無線信号を抽出する抽出手段と、を備え、前記基地局装置は、前記第１の光ファイバを経由して前記中央局装置から送信された前記ダウンリンク光信号を前記アップリンク無線信号を用いて強度変調することによって、前記アップリンク無線信号と前記ダウンリンク無線信号とを多重した前記多重光信号を生成する多重手段と、を備える光ファイバ無線アクセスシステム。
（付記２）前記中央局装置は、前記多重光信号を多重無線信号へ変換する第２の光電気変換手段をさらに備え、前記抽出手段は、コンパレータ回路を用いることによって前記多重無線信号から前記アップリンク無線信号を抽出する、付記１に記載の光ファイバ無線アクセスシステム。
（付記３）前記中央局装置は、前記多重光信号を多重無線信号へ変換する第２の光電気変換手段をさらに備え、前記抽出手段は、減算回路を用いて前記多重無線信号から前記ダウンリンク無線信号を減算することによって、前記アップリンク無線信号を抽出する、付記１に記載の光ファイバ無線アクセスシステム。
（付記４）中央局装置と基地局装置とが第１および第２の光ファイバで接続された光ファイバ無線アクセスシステムにおいて、前記中央局装置は、光源から出力される光信号をダウンリンク無線信号を用いて強度変調することによって、前記ダウンリンク無線信号をダウンリンク光信号へ変換する第１の光電気変換手段と、前記第１の光ファイバを経由して前記基地局装置へ送信した前記ダウンリンク光信号を強度変調することによって生成された多重光信号を前記第２の光ファイバを経由して受信する受光手段と、を備え、前記基地局装置は、前記第１の光ファイバを経由して前記中央局装置から送信された前記ダウンリンク光信号を分岐する手段と、分岐した一方の前記ダウンリンク光信号を前記ダウンリンク無線信号へ変換する第２の光電気変換手段と、前記第２の光電気変換手段から出力された前記ダウンリンク無線信号から前記アップリンク無線信号を減算することによって多重無線信号を生成する第１の多重手段と、分岐した他方の前記ダウンリンク光信号を前記多重無線信号を用いて強度変調することによって、前記多重光信号を生成する第２の多重手段と、を備える光ファイバ無線アクセスシステム。
（付記５）前記第１の光電気変換手段は、所定のオフセット強度を含む前記ダウンリンク光信号へ変換されるように電圧レベル及び振幅が設定された前記ダウンリンク無線信号を用いる、付記１乃至４のいずれか１項に記載の光ファイバ無線アクセスシステム。
（付記６）基地局装置と第１および第２の光ファイバで接続された中央局装置であって、光源から出力される光信号をダウンリンク無線信号を用いて強度変調することによって、前記ダウンリンク無線信号をダウンリンク光信号へ変換する第１の光電気変換手段と、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号から前記アップリンク無線信号を抽出する抽出手段と、を備える中央局装置。
（付記７）中央局装置と第１および第２の光ファイバで接続された基地局装置であって、前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信する、基地局装置。
（付記８）基地局装置と第１および第２の光ファイバで接続された中央局装置において用いられる信号抽出方法であって、光源から出力される光信号をダウンリンク無線信号を用いて強度変調することによって、前記ダウンリンク無線信号をダウンリンク光信号へ変換し、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、前記多重光信号から前記アップリンク無線信号を抽出する、抽出方法。
（付記９）中央局装置と第１および第２の光ファイバで接続された基地局装置において用いられる通信方法であって、前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信する、通信方法。
（付記１０）基地局装置と第１および第２の光ファイバで接続されたコンピュータに実行させるプログラムであって光源から出力される光信号をダウンリンク無線信号を用いて強度変調することによって、前記ダウンリンク無線信号をダウンリンク光信号へ変換し、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、前記多重光信号から前記アップリンク無線信号を抽出する、ことをコンピュータに実行させるプログラムを記録する非一時的なコンピュータ可読記録媒体。
（付記１１）中央局装置と第１および第２の光ファイバで接続されたコンピュータに実行させるプログラムであって、前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信する、ことをコンピュータに実行させるプログラムを記録する非一時的なコンピュータ可読記録媒体。
【００７８】
この出願は、２０１５年２月２５日に出願された日本出願特願２０１５−０３５４４８を基礎とする優先権を主張し、その開示の全てをここに取り込む。
【符号の説明】
【００７９】
１  ＢＢＵ
２  ＲＲＵ
３  送受信部
４  光源
５  光変調器
６  光変調器
７  光伝送路
８  光伝送路
９  受光器
１０  受光器
１１  デュプレクサ
１２  アンテナ
１３  光カプラ
２１  バンドパスフィルタ
２２  コンパレータ
２４  減算器
２５  データ変換回路
２６  アンプ
２７  遅延回路
２８  減算器
１００  中央局装置
１０１  光電気変換部
１０２  受光部
１０３  抽出部
１１０  基地局装置
１１１  多重部
１２０  光ファイバ
１３０  光ファイバ
【図１】
2016136188.tif 000003
【図２】
2016136188.tif 000004
【図３】
2016136188.tif 000005
【図４】
2016136188.tif 000006
【図５】
2016136188.tif 000007
【図６】
2016136188.tif 000008
【図７】
2016136188.tif 000009
【図８】
2016136188.tif 000010
【図９】
2016136188.tif 000011
【図１０】
2016136188.tif 000012
【図１１】
2016136188.tif 000013
【図１２】
2016136188.tif 000014
【図１３】
2016136188.tif 000015
【図１４】
2016136188.tif 000016
【図１５】
2016136188.tif 000017
【図１６】
2016136188.tif 000018
【図１７】
2016136188.tif 000019
【図１８】
2016136188.tif 000020
【図１９】
2016136188.tif 000021
【手続補正書】
【提出日】平成29年8月2日(2017.8.2)
【手続補正１】
【補正対象書類名】明細書
【補正対象項目名】００１３
【補正方法】変更
【補正の内容】
【００１３】
本発明の第６の態様にかかる記録媒体は、基地局装置と第１および第２の光ファイバで接続されたコンピュータに実行させるプログラムであって、光源から出力される光信号をダウンリンク無線信号を用いて強度変調することによって、前記ダウンリンク無線信号をダウンリンク光信号へ変換し、前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、前記多重光信号から前記アップリンク無線信号を抽出する、ことをコンピュータに実行させるプログラムである。
【手続補正２】
【補正対象書類名】特許請求の範囲
【補正対象項目名】全文
【補正方法】変更
【補正の内容】
【特許請求の範囲】
【請求項１】
中央局装置と基地局装置とが第１および第２の光ファイバで接続された光ファイバ無線アクセスシステムであって、
前記中央局装置は、
光源から出力される光信号をダウンリンク無線信号を用いて強度変調することによって、前記ダウンリンク無線信号をダウンリンク光信号へ変換する第１の光電気変換手段と、
前記第１の光ファイバを経由して前記基地局装置へ送信した前記ダウンリンク光信号が強度変調されたことによって生成された多重光信号を前記第２の光ファイバを経由して受信する受光手段と、
前記多重光信号からアップリンク無線信号を抽出する抽出手段と、を備え、
前記基地局装置は、
前記第１の光ファイバを経由して前記中央局装置から送信された前記ダウンリンク光信号を前記アップリンク無線信号を用いて強度変調することによって、前記アップリンク無線信号と前記ダウンリンク無線信号とを多重した前記多重光信号を生成する多重手段と、を備える光ファイバ無線アクセスシステム。
【請求項２】
前記中央局装置は、
前記多重光信号を多重無線信号へ変換する第２の光電気変換手段をさらに備え、
前記抽出手段は、
コンパレータ回路を用いることによって前記多重無線信号から前記アップリンク無線信号を抽出する、請求項１に記載の光ファイバ無線アクセスシステム。
【請求項３】
前記中央局装置は、
前記多重光信号を多重無線信号へ変換する第２の光電気変換手段をさらに備え、
前記抽出手段は、
減算回路を用いて前記多重無線信号から前記ダウンリンク無線信号を減算することによって、前記アップリンク無線信号を抽出する、請求項１に記載の光ファイバ無線アクセスシステム。
【請求項４】
中央局装置と基地局装置とが第１および第２の光ファイバで接続された光ファイバ無線アクセスシステムであって、
前記中央局装置は、
光源から出力される光信号をダウンリンク無線信号を用いて強度変調することによって、前記ダウンリンク無線信号をダウンリンク光信号へ変換する第１の光電気変換手段と、
前記第１の光ファイバを経由して前記基地局装置へ送信した前記ダウンリンク光信号を強度変調することによって生成された多重光信号を前記第２の光ファイバを経由して受信する受光手段と、を備え、
前記基地局装置は、
前記第１の光ファイバを経由して前記中央局装置から送信された前記ダウンリンク光信号を分岐する手段と、
分岐した一方の前記ダウンリンク光信号を前記ダウンリンク無線信号へ変換する第２の光電気変換手段と、
アップリンク無線信号から、前記第２の光電気変換手段から出力された前記ダウンリンク無線信号を減算することによって多重無線信号を生成する減算手段と、
分岐した他方の前記ダウンリンク光信号を前記多重無線信号を用いて強度変調することによって、前記多重光信号を生成する多重手段と、を備える光ファイバ無線アクセスシステム。
【請求項５】
前記第１の光電気変換手段は、
所定のオフセット強度を含む前記ダウンリンク光信号へ変換されるように電圧レベル及び振幅が設定された前記ダウンリンク無線信号を用いる、請求項１乃至４のいずれか１項に記載の光ファイバ無線アクセスシステム。
【請求項６】
基地局装置と第１および第２の光ファイバで接続された中央局装置であって、
光源から出力される光信号をダウンリンク無線信号を用いて強度変調することによって、前記ダウンリンク無線信号をダウンリンク光信号へ変換する第１の光電気変換手段と、
前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号から前記アップリンク無線信号を抽出する抽出手段と、を備える中央局装置。
【請求項７】
中央局装置と第１および第２の光ファイバで接続された基地局装置であって、
前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、前記多重光信号を第２の光ファイバを経由して前記中央局装置へ送信する、基地局装置。
【請求項８】
基地局装置と第１および第２の光ファイバで接続された中央局装置において用いられる信号抽出方法であって、
光源から出力される光信号をダウンリンク無線信号を用いて強度変調することによって、前記ダウンリンク無線信号をダウンリンク光信号へ変換し、
前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、
前記多重光信号から前記アップリンク無線信号を抽出する、抽出方法。
【請求項９】
中央局装置と第１および第２の光ファイバで接続された基地局装置において用いられる通信方法であって、
前記第１の光ファイバを経由して前記中央局装置から送信された、ダウンリンク光信号をアップリンク無線信号を用いて強度変調することによって、前記アップリンク無線信号と前記ダウンリンク光信号に含まれるダウンリンク無線信号とを多重した多重光信号を生成し、
前記多重光信号を第２の光ファイバを経由して前記中央局装置へ送信する、通信方法。
【請求項１０】
基地局装置と第１および第２の光ファイバで接続されたコンピュータに実行させるプログラムであって、
光源から出力される光信号をダウンリンク無線信号を用いて強度変調することによって、前記ダウンリンク無線信号をダウンリンク光信号へ変換し、
前記第１の光ファイバを経由して前記基地局装置へ送信した前記ダウンリンク光信号を、前記基地局装置においてアップリンク無線信号を用いて強度変調され、前記アップリンク無線信号と前記ダウンリンク無線信号とが多重された多重光信号を前記第２の光ファイバを経由して受信し、
前記多重光信号から前記アップリンク無線信号を抽出する、ことをコンピュータに実行させるプログラム。
【国際調査報告】
2016136188.tif 000022
2016136188.tif 000023
2016136188.tif 000024
2016136188.tif 000025